(57)【要約】【課題】被験者における特定の認知感情精神状態（例えば情熱）を検出するシステム及び方法を開示する。【解決手段】システム及び方法は、視覚表示画面にサブリミナル的に被験者に対して曝露される種々の内面個別探査（ＩＰＥ）刺激を利用する。表示後に、被験者は、目標特異的な認知的作業及び関連行動（例えば、短期間に表示された文字列が単語であるか否かを決定し、決定を示すためにボタンを押す）を行う。その行動のための決定反応時間をコンピュータ・データベース内に記録する。被験者における特定の認識感情精神状態の相対強度を検出するために、反応時間を定量的に解釈する。感情状態を喚起しないＩＰＥに対する平均反応時間よりも短い、特定の個々のＩＰＥに対する反応時間は、その特定の個々のＩＰが実際に被験者において感情状態を喚起したことを表している。【選択図】図１
2010508048.tif 000002
【特許請求の範囲】
【請求項１】
被験者における特定の認知感情精神状態を検出するための非ブラインド行動法であって、
少なくとも二つの異なる内面個別探査（ＩＰＥ：Ｉｎｔｅｒｎａｌ  Ｐｅｒｓｏｎａｌｉｚｅｄ  Ｅｘｐｌｏｒｅｒ）刺激を提供するステップと、
被験者をサブリミナル期間の間に個々のＩＰＥ刺激の視覚表示画面に曝露するステップであって、前記視覚表示画面はコンピュータ・システムの出力装置であるステップと、
短期非サブリミナル時間の間に前記視覚表示画面をマスクで覆うステップと、
前記被験者が有意味の目標特異的な認知的作業及び関連行動を実施することを前記覆うステップに後続するステップと、
前記視覚表示画面に少なくとも前記行動を完了する十分な反応期間長を有してランダムに変化する反応期間を提示するステップと、前記コンピュータ・システムの入力装置を介して前記コンピュータ・システム上のデータベースに前記行動の反応時間を記録するステップと、
個々のＩＰＥのそれぞれに対して被験者の平均反応時間を決定する十分なデータベースを生成するために、異なる個々のＩＰＥを用いて十分な回数の前記曝露するステップを繰り返すステップと、
個々のＩＰＥに対する前記被験者における前記特定の認知感情精神状態のそれぞれの強度を検出するために、データセットの前記反応時間データを解釈するステップと、を含む方法。
【請求項２】
前記提供するステップは、さらに、気に入られたＩＰＥ、中間のＩＰＥ及び無関心のＩＰＥからなるＩＰＥクラスから前記ＩＰＥが選ばれることを含む、請求項１に記載の非ブラインド行動法。
【請求項３】
前記曝露するステップは、さらに、前記刺激閾値未満の期間の時間かつ前記被験者による前記刺激の無意識認知期間を超える時間の間に、前記視覚表示画面上に前記個々のＩＰＥ刺激を前記曝露することを含む、請求項１に記載の非ブラインド行動法。
【請求項４】
前記曝露するステップは、さらに、約２０ミリ秒から３０ミリ秒の時間の間に前記視覚表示画面上に前記個々のＩＰＥ刺激を前記曝露することを含む、請求項１に記載の非ブラインド行動法。
【請求項５】
前記曝露するステップは、さらに、約２６ミリ秒の時間の間に前記視覚表示画面上に前記個々のＩＰＥ刺激を前記曝露することを含む、請求項１に記載の非ブラインド行動法。
【請求項６】
前記覆うステップは、さらに、前記マスクとは、テキスト文字で前記視覚表示画面の視野が充填されることであることを含む、請求項１に記載の非ブラインド行動法。
【請求項７】
前記覆うステップは、さらに、前記マスクとは、「＃」というテキスト文字で前記視覚表示画面の視野が充填されることであることを含む、請求項１に記載の非ブラインド行動法。
【請求項８】
前記覆うステップは、さらに、前記マスクとは、前回のＩＰＥ刺激のものと類似のサイズ及びフォントのテキスト文字で前記視覚表示画面の視野が充填されることであることを含む、請求項１に記載の非ブラインド行動法。
【請求項９】
前記覆うステップは、さらに、約１２５ミリ秒から２００ミリ秒の期間の短期非サブリミナル時間を含む、請求項１に記載の非ブラインド行動法。
【請求項１０】
前記覆うステップは、さらに、約１５０ミリ秒の期間の短期非サブリミナル時間を含む、請求項１に記載の非ブラインド行動法。
【請求項１１】
前記覆うステップは、さらに、前記個々のＩＰＥ保持の干渉から競合記憶イベントを減少するための十分な長さの期間の短期非サブリミナル時間を含む、請求項１に記載の非ブラインド行動法。
【請求項１２】
前記後続するステップは、さらに、前記認知的作業は前記視覚表示画面上に提示される視覚的区別であることを含む、請求項１に記載の非ブラインド行動法。
【請求項１３】
前記視覚表示画面上に提示される前記認知的作業は、短い時間の間に表示される文字列が単語であるか否かを決定することである、請求項１２に記載の非ブラインド行動法。
【請求項１４】
前記後続するステップは、さらに、前記認知的作業から発生する前記被験者の決定を示すためにボタンを押すことである前記関連行動を含む、請求項１に記載の非ブラインド行動法。
【請求項１５】
前記関連行動は、前記認知的作業から発生する前記被験者の決定を示すために人差し指でボタンを押すことである、請求項１４に記載の非ブラインド行動法。
【請求項１６】
前記関連行動は、前記被験者の「はい」という決定を示すために第一のボタンを押し、「いいえ」という決定を示すために第二のボタンを押すことである、請求項１４に記載の非ブラインド行動法。
【請求項１７】
前記提示するステップは、さらに、前記視覚表示画面上に空白／無地の画面が提示されることであることを含む、請求項１に記載の非ブラインド行動法。
【請求項１８】
前記提示するステップは、さらに、約０．５秒から８秒の間の反応期間持続を有する前記ランダムに変化する反応期間を含む、請求項１に記載の非ブラインド行動法。
【請求項１９】
前記解釈するステップは、さらに、前記コンピュータ・システム上に保存されるコンピュータによる解釈処理を含む、請求項１に記載の非ブラインド行動法。
【請求項２０】
前記コンピュータ・システム上に保存される前記解釈処理は、前記被験者において検出が探索される特定の認知感情状態を反映する結果を生成し、かつ記載又は画像形式で結果出力を生成する、請求項１９に記載の非ブラインド行動法。
【請求項２１】
（ａ）視覚刺激を表示するための視覚表示画面と、前記方法に従って入力を処理するプロセッサと、前記入力を処理し、平均反応時間、特別の刺激に対する反応時間を計算するプロセッサと、前記入力、反応時間、及び前記方法に従って他の試験基準を保存するための記憶部と、及び前記方法に従って施行された刺激に応答する試験被験者からの反応を入力するための前記入力装置と、を有するコンピュータ；及び、
（ｂ）前記コンピュータ上で動作するソフトウェアを用いて、前記方法及び特別の試験プロトコルに従って順次かつ期間中に選択された視覚刺激を試験被験者に表示することにより試験被験者にＩＰＥをインジェクトする、前記方法に係る前記試験被験者の入力を受信して処理するための、サブリミナルＩＰＥ画像インジェクタを含む、請求項１に記載の方法を実施するためのシステム。
【発明の詳細な説明】
【技術分野】
【０００１】
（関連出願への相互参照）
本発明は、２００６年８月２５日付け米国仮出願第６０／８２３５３１号、及び２００７年８月２５日付け米国通常出願第１１／８４５０６６号の優先権を主張し、援用により全開示内容を本願明細書の一部とするものとする。
（発明出願の全所有権所有者）
ジュネーブ大学病院
ミシェリ・ド・クレスト２４
スイス国ジュネーブ市１４番地（郵便番号１２１１）
【０００２】
（技術分野）
本発明は行動診断ツールの分野に関する。特に、本発明は被験者の特定感情状態の検出に関する。より具体的には、本発明は、特定感情（例えば、情熱）を喚起する被験者刺激の検出、及び認知的作業の行動遂行を向上する刺激の使用に関する。
【背景技術】
【０００３】
愛情、情熱、及び目標指向的な動機付け等の、強い内面の認知感情状態は、人類の全年齢層にわたり何らかの大きな成果のための根源となってきた。ヒト脳皮質下及び皮質での報酬、動機付け、認知及び感情のシステム内における情熱に関する最近の神経科学的局在診断では、情熱は、純粋かつ単純な感情であるよりも、むしろ認知行動を予測可能に促進する目標指向的な駆動力であるという仮説が支持されている。
【０００４】
意識的方法で情熱的な精神状態の評価を目指す多くの尺度、アンケート又は試験があるが、既存ツールでは目的したように役立ってはいない。既存の方法において、試験被験者は、通常、自己の精神状態が何かを言葉で表現するよう求められるか誘導される。質問に対する試験被験者の行動又は反応には複数の外部的及び内部的要因による影響が避けられず、しばしば被験者の真の内面的精神状態を不明瞭にするか、又は被験者がそれを表現する妨げとなる。
【発明の概要】
【発明が解決しようとする課題】
【０００５】
音声神経科学を基礎として参加者の内面的な認知感情状態を定量的に計測可能な、認知的、非侵襲的、客観的及び高速な試験を提供する方法及びシステムが必要である。認知感情状態を評価するための既存方法に特有の主観を避ける、行動論的診断ツールも同様に必要である。
【課題を解決するための手段】
【０００６】
本発明は、ヒト脳皮質下及び皮質での報酬、動機付け、認知及び感情のシステムを含む、情熱、好み、及び他の精神状態等の特定の認知感情状態を検出する行動論的方法及びシステムに関する。発明の基本的特徴は、ユニークな種類のサブリミナル刺激である内面個別探査（ＩＰＥ：Ｉｎｔｅｒｎａｌ  Ｐｅｒｓｏｎａｌｉｚｅｄ  Ｅｘｐｌｏｒｅｒ）を試験被験者に提供する、サブリミナル内面個別探査インジェクタである。本発明は、ＩＰＥ技術プラットフォームの実用における最初の応用であると確信する。さらに、本発明は、被験者における特定の認知感情精神状態を検出するための、非ブラインド行動論的方法及びシステムである。
【０００７】
本発明の方法及びシステムは、特別なサブリミナル刺激に続く認知的作業への反応時間が短いほど、別のサブリミナル刺激への情熱／好みの強度と比較して、そのサブリミナル刺激に関する被験者の精神における情熱的精神状態の強さを高い信頼性で示すことが明らかであるという、神経科学的な証拠に基づく。これは、検出される内面的精神状態と、認知的にその精神状態に関連性のない測定可能な行動との間の相関関係に基づくことによる。
【０００８】
被験者の視点からは、この方法及びシステムはコンピュータ系の試験として経験される。試験結果に基づいて、この方法及びシステムは被験者の精神において特定の認知感情精神状態が同時期に存在することを、客観的に検出する。本開示の目的に対して、認知感情状態、又は認知感情精神状態という用語は、ヒト脳の認知及び感情の双方の中心、領域、システム、又は機能に関するあらゆる精神状態を意味する。認知感情状態の例としては、愛情、憎悪、嫉妬、好み、情熱、目標指向的な動機付け、及び無関心さえも挙げられる。
【０００９】
この方法及びシステムは、この方法及びシステムが認知論的行動の客観的測定を信頼し、いかなる主観的情報も分析も信頼しないことにより、認知感情状態を客観的に検出する。この方法及びシステムは、特定の精神状態が同時期に存在することを検出し、これは、試験が実施されている時間の間に被験者の精神に存在している精神状態を検出することを意味する。試験は、通常は約１０分継続する手短なものである。試験は非侵襲的であり、被験者身体には何の装置も接続又は取り付けられないことを意味する。
【００１０】
この方法及びシステムの基本的特徴は、被験者がサブリミナル刺激に曝露された後に、意味のある目標特異的認知的作業を実施することを繰り返し要求されることである。この方法及びシステムに用いられるサブリミナル刺激は、内面個別探査又はＩＰＥという。
【００１１】
ＩＰＥ刺激は、通常は視覚表示画面に示される単語又は画像であるが、これらの種類の感覚入力に限定しない。ＩＰＥ刺激は、被験者において検出しようとする特定の認知感情状態に適合するよう設計される。適合させることにより、特別なＩＰＥの内容又は意味と試験目的である特定の認知感情状態との間に対応があることになる。
【００１２】
サブリミナルＩＰＥ刺激は、一般的に商業広告において知られるサブリミナル刺激とは異なる。本発明において、ＩＰＥ刺激のサブリミナル提示は、目標とする刺激との関連付けを生成するために用いるものではない。それは商品の広告、又は消費者の行動への影響を意図して用いるのではなく、行動を評価するために用いるものである。サブリミナルＩＰＥ提示の狙いは、被験者においてその時点で存在する場合に、内面の精神状態を検出及び探求するためである。
【００１３】
この方法及びシステムは非ブラインドであり、これはサブリミナル刺激を用いることを試験に先立ち被験者に知らせ、かつ試験目的は特定の認知感情状態を検出することであることを被験者に知らせることは、方法及びシステムにより得られる結果に何も影響しないことを意味する。この方法及びシステムは、試験に先立って被験者がサブリミナル刺激について知らされるかどうかに関わらず、特定の認知感情状態が存在するか否かを決定する。
【００１４】
この方法及びシステムは行動論的であり、これは測定されるのは被験者が実行する行動であることを意味する。この方法及びシステムは、行動を実行する被験者を必要とする。好適な実施形態において、行動とは、視覚表示画面に表示される文字列（目標刺激）が単語であるか否かを決定するという、目標特異的な認知的決定作業に応答して、コンピュータのキーボード上のキーを押すことである。測定されたのはその行動の反応時間であり、これは被験者への目標刺激提示と、被験者の決定を示している行動の被験者による実行との間の経過時間を意味する。
【００１５】
本開示の文脈において、目標とは、被験者が実行を求められる認知的決定作業の主題である。目標は、また、目標刺激も指す。個々の目標についてのそれぞれの決定は独立している。目標内容又は意味は、試験経過中に先行するＩＰＥとの概念的関連があってもよく、なくてもよい。目標に関して被験者が実行しなければならない作業が参加被験者にとって認知的に関連性があり、かつ「意味がある」ことが重要である。これは、被験者が動機付けられ、試験中に要求された作業をできるだけ迅速に完了するよう努力することを確実にする助けになる。
【００１６】
試験実施には連続ステップ周期の繰り返しを取り入れ、各サイクルは、被験者をサブリミナルＩＰＥ刺激に曝露した後に、ＩＰＥ刺激を確実にサブリミナル的に機能させるためのマスク又はマスク期間を含む。次いで、被験者は認知的作業を行うよう求められる。被験者の反応時間、すなわち、目標刺激の開始と認知的作業における被験者の決定を示す行動の完了との間の経過時間が記録される。試験に用いられる２つ以上のＩＰＥのそれぞれについて、そのＩＰＥへの曝露後の被験者反応に対する平均反応時間を計算する。次いで、個々のＩＰＥに対する平均反応時間をそれぞれ比較する。
【００１７】
この方法及びシステムを用いる実験では、認知的作業への反応時間が短いほど、認知的作業目標に先立って与えられたサブリミナルＩＰＥ刺激に一致する、被験者の精神における認知感情状態の強さを高い信頼性で示すことが明らかであった。追加資料Ａ及びＢを参照されたい。
【００１８】
被験者が参加する試験は、いかなる精神状態についても被験者による自己申告は全く含まれず、仮にあるとしてもサブリミナル刺激の感情内容に関連しない行動計測に替わるものによるため、この方法及びシステムは、測定結果における主観的なアーティファクトを避けている。
【００１９】
本発明は、認知的、非侵襲的、客観的、かつ高速な試験を提供し、これにより、音声神経科学を基礎として、意味のある定量的な参加者内面の認知感情状態の計測を可能とすることを目的とする。
【００２０】
また、本発明は、参加者内面の精神状態を研究する文脈において、サブリミナル刺激提示と参加者の回答（例えば、移動時間、反応時間、正確さ）を関連付ける方法及びシステムを提供することを目的とする。この内面的な精神状態とは、感情（例えば、愛情、憎悪、嫉妬、好み、情熱、等）でありうるが、強い認知感情の内面的精神状態と比較すると中立的でもありうる。
【００２１】
また、本発明の目的は、参加者の内面的な精神状態を客観的に評価可能とすることにあり、これは被験者が特定の内面的な精神状態にあるか否かが無意識レベルで明らかになるからである。
【００２２】
また、本発明は、被験者が試験中に自己の反応を選択も案内もできない方法及びシステムを提供することを目的とする。本発明の特徴において、被験者は、何か／誰かに対する特定の内面的な精神状態にあるか、又はそうでないかのいずれかである。特定の内面的な精神状態は、検出される特定の精神状態に無関係な認知行動を客観的に測定することにより明らかとなる。換言すれば、この方法及びシステムは、何か又は誰かに対する被験者の精神／感情を読み取る。
【図面の簡単な説明】
【００２３】
【図１】被験者に実施される試験の諸段階を、時間軸上で連続して示す図である。
【図２】方法を用いる時に反復するイベントの繰り返しを示すフローチャートである。
【図３】本発明の実行に有用なコンピュータ・システムを表す模式図である。
【発明を実施するための形態】
【００２４】
本発明は、コンピュータ・システム４４を操作し、被験者における特定の認知感情状態を検出する、行動論的方法１０である。従って、この行動論的方法１０は、個人、活動、商品、又は他の実物に対する好み又は感情の存在及び強度について、性質を同じくする別の実物に対する被験者の好み又は情熱と比較して、被験者を試験することが可能である。本開示の目的においては、被験者とは、試験への参加者を指すことがある。図１に示すように、行動論的方法１０は、被験者における試験１４を実施する試験準備１２、並びに、システム４４の使用、試験データ２０の分析、及び試験結果２６の出力を含む。
【００２５】
試験１４の実施に先行する試験準備１４の一部として、試験管理者は、試験結果に回答されるであろう質問を定義する。加えて、試験管理者は、試験に用いるための少なくとも２つの異なる内面個別探査（ＩＰＥ）刺激３４を選択し、これらは試験１４において用いられるサブリミナルＩＰＥ刺激３４である。例えば、被験者が２つの消費者製品の一方に対して感情的な好みを有するかどうかという質問が可能で、対応するＩＰＥ刺激３４はその２つの製品の画像又は名称でありうる。別の例においては、現時点で被験者が好むレクリエーション活動は何かという質問が可能であり、対応するＩＰＥ刺激３４は２つ以上の異なる活動の名称でありうる。別の例においては、被験者が特別の人物に対して強い空想的な愛情を有するかという質問が可能であり、ＩＰＥ刺激３４はその人物の名前や、被験者の中立的な知り合いの名前でありうる。別の例においては、さらなるＩＰＥ刺激３４を、被験者が特別の重要性をもたない所与の名前又は単語とすることが可能である。ＩＰＥ刺激３４は、好適には、コンピュータ・システム４４の視覚表示画面４６を介して被験者に提示される。ＩＰＥ刺激３４は、サブリミナル表示として視覚表示画面４６に提示され、すなわち、個々のＩＰＥ刺激３４は、意識的な刺激知覚の閾値未満、かつ被験者による無意識的な刺激知覚のための時間を超える時間の間に、視覚表示画面４６に表示される。
【００２６】
試験１４に用いるＩＰＥ刺激３４が定義されると、試験１４に用いるマスク４０が定義される。マスク４０の目的は、ＩＰＥ刺激３４の提示をサブリミナル的な性格とし、被験者がＩＰＥ刺激３４のサブリミナル記憶を保持することを確実にするためである。この目的を達成するためには、サブリミナルＩＰＥ刺激記憶の保持との競合及びその増強を避けるため、マスクは、被験者に対してできるだけ無意味な記憶イベント刺激であることが重要である。マスク４０は、短期間の、約１２５ミリ秒から２００ミリ秒の非サブリミナル期間の間、マスキングステップ１１０において提示される。好適な実施形態において、非サブリミナル期間は約１５９ミリ秒である、マスク４０は、ＩＰＥ刺激３４によるマスクの直前で、視覚表示画面４６の視野を充填し、占有した視野を覆う。例えば、ＩＰＥ刺激３４が単語又は文字列である場合、マスク４０は単語ではないテキスト文字列とすることが可能であり、又はマスクは「＃」という文字の連続や、本開示においてはポンド記号とすることも可能である。好適な実施形態において、マスク４０は、先行するＩＰＥ刺激のものと同様のサイズ及びフォントのテキスト文字により、視覚表示画面４６の画面に表示される。
【００２７】
ＩＰＥ刺激４６及びマスク４０に加え、同様に試験１４の準備の一部として、認知的作業５８の主題として試験１４中に提示される目標５２が用意される。一実施形態において、目標５２は文字列であり、認知的作業５８はその目標５２が単語であるか単語ではないかを決定することである。本発明の他の実施形態において、目標刺激は画像、ビデオクリップ、臭い、音、又はヒト脳の認知領域に作用する任意の他の種類の刺激であってもよい。試験１４に用いられるＩＰＥ刺激３４、マスク４０、及び標的５２は、被験者に試験１４を実施するために用いられるコンピュータ符号に埋め込まれる。図２に、例示的な時系列における試験実施を示す。ＩＰＥは、被験者に対するＩＰＥ３４のクラスから選択することが可能であり、好まれるＩＰＥ、中立的ＩＰＥ、無関心ＩＰＥからなる。
【００２８】
試験１４は、反復又はサイクル３０の連続からなり、各サイクルにおいてＯＰＥはサブリミナル的に提示され、認知的認識及び行動的作業が行われる。試験１４それ自体は、個々のＩＰＥ刺激３４をサブリミナル期間７０の間に、被験者を視覚表示画面４６に曝露するステップ１００を含む。曝露するステップ１００は、約２０ミリ秒から３０ミリ秒の時間の間に、視覚表示画面４６上に個々のＩＰＥ刺激３４を曝露することを含む。図示の好適な実施形態において、視覚表示画面４６上への個々のＩＰＥ刺激３４の曝露は、約２６ミリ秒の期間である。
【００２９】
図示の好適な実施形態において、視覚表示画面４６はコンピュータ・システム４４のビデオ出力装置である。曝露するステップ１００の直後に、視覚表示画面４６をマスクするステップ１１０が実施される。視覚表示画面４６は、短期間の非サブリミナル期間の間にマスクを提示する。マスクするステップ１１０に続いて、意味のある目標特異的な視覚認知的認識作業１２０が被験者に提示される。好適な実施形態において、認知的作業は視覚表示画面４６上に提示される目標刺激５２を含む視覚識別作業１２０であった。特に、視覚表示画面４６上に提示され得認知的作業１２０は、短い時間の間に表示される文字列が単語であるかないかを決定するものだった。
【００３０】
視覚的な認知的認識作業の提示１２０の後に、ブランキングステップ１３０により、少なくとも視覚的な認知的認識作業１２０に必要な行動１２４を完了するのに十分な反応期間を有する、ランダムに変化させた反応期間の間に、視覚表示画面４６を消した。関連行動１２４は、認知的作業１２０から発生する被験者の決定を示すために、ボタンを押すこととした。好適な実施形態において、関連行動は被験者が人差し指を用いて「はい（ＹＥＳ）」という決定を示すための第１のボタンを押すことと、「いいえ（ＮＯ）」という決定を示すために第２のボタンを押すこととした。認知的作業１２０及び関連行動が実施される一方で、視覚表示画面４６は、ランダムに変化させた反応期間１３４の間に、空白又は無地の画面１３２を被験者に提示した。ランダムに変化させた反応期間１３４は、約０．５秒から８秒の間の反応期間を有する。
【００３１】
行動１２４を完了するための被験者の反応時間１２６を、データベース８０に記録した。反応時間１２６は、コンピュータ・システム４４上のデータベース８０における、コンピュータ・システム４４の入力装置９０である。これらのステップは、試験１４の一つの反復又はサイクル３０と一致する。使用した個々のＩＰＥ刺激３４のそれぞれに対する被験者の平均反応時間を計測するために十分なデータベース８０を生成し、特定のＩＰＥ３４及び目標５２刺激に対する反応時間のデータセットを作成するため、サイクル３０は、異なる個々のＩＰＥ刺激３４を用いて曝露するステップ１００から始め、十分な回数だけ繰り返す。分析／解釈処理２０はコンピュータ・システム４４上で動作し、個々のＩＰＥに対する被験者の特定の認知感情精神状態のそれぞれの強度を検出するために、データセットの反応時間データを解釈する。解釈処理２０は、被験者において検出しようとする特定の認知感情状態を反映する結果を生成し、記載又は画像の形式での結果出力を生成する。
【００３２】
別の実施形態において、コンピュータ・システム４４を用いて、コンピュータを操作する作業者の能力強化を主要目的として、サブリミナルＩＰＥ画像インジェクタがコンピュータ画面上にサブリミナル画像を投じてもよい。このような実施形態において、初期化ステップでは、質問を介して、又は本人に情熱を喚起するユーザ選択画像をユーザがアップロードできる入力を設けることにより、特別なユーザの一部に情熱を喚起する画像が保存される、ＩＰＥを投与するステップにおいて、これらの画像は、適切な期間（例えば、２６ミリ秒）の間にコンピュータ画面上でユーザに表示され、通常のユーザの成績向上を示す経験的研究に従って繰り返す。
【００３３】
一つの効果としては、音声神経科学を基礎として参加者の内面的な認知感情状態を定量的に計測可能な、認知的、非侵襲的、客観的、及び高速試験の方法及びシステムが提供される。
【００３４】
別の効果としては、認知感情状態に対する既存方法に特有の主観を避ける、行動論的診断ツールが提供される
【００３５】
別の効果としては、この方法及びシステムは測定結果における主観的なアーティファクトを避けている。
【００３６】
別の効果としては、この方法及びシステムは、音声神経科学を基礎として参加者の内面的な認知感情状態を定量的に計測可能とする、認知的、非侵襲的、客観的、及び高速な試験を提供する。
【００３７】
別の効果としては、この方法及びシステムは、参加社の回答（例えば、移動回数、反応時間、正確さ）とサブリミナル刺激提示とを、参加者の内面的精神状態の研究の文脈で関連付ける。
【００３８】
別の効果としては、この方法及びシステムは、被験者が特定の内面的精神状態にあるか否かを無意識レベルで明らかにするので、参加者の内面的な精神状態の客観的評価を可能とする。
【００３９】
別の効果としては、試験中に被験者が自分の反応を選択も案内もできない方法及びシステムが提供される。
【００４０】
本願明細書に記載の本発明の実施形態においては、複数の変種及び変形が可能である。本発明のある事例的実施形態を本願明細書に図示し記載してきたが、前述の開示においては広範な変形、変化及び置き換えが想定されている。上述の記載が多くの詳細を含む一方で、これらは本発明の範囲を限定するものではなく、むしろその一以上の好適な実施形態の例示とし理解されるべきである。いくつかの例においては、本願発明のいくつかの特徴は対応する他の特徴を使用することなしに用いられる。従って、前述の記載は説明のためのみであると広範囲に考えられ理解されるのが適切であり、本発明の精神及び範囲は本出願に記載の特許請求の範囲によってのみ限定される。
【図１】
2010508048.tif 000003
【図２】
2010508048.tif 000004
【図３】
2010508048.tif 000005
【国際調査報告】
2010508048.tif 000006
2010508048.tif 000007
2010508048.tif 000008